(57)【要約】【課題】照明器具を昇降する昇降装置を備えた昇降式照明器具において、大きさの異なる照明器具に対する昇降装置の共用化によるコストダウンと共に、器具回転のない安定した昇降を図る。【解決手段】昇降式照明器具は、昇降装置１と、昇降装置１の昇降リール１２により昇降される昇降ワイヤ１１に吊持ちされる器具本体２１と、器具本体２１の回転を防止する回転防止用ワイヤ３１と、昇降リール１２から離れて配設され、回転防止用ワイヤ３１を巻き取り巻き放しする回転防止用リーラ３２とを備える。昇降ワイヤ１１は器具本体２１の中心部位に固定され、回転防止用ワイヤ３１は中心部位から離れた周辺部位に固定される。従って、器具本体２１は回転防止用ワイヤ３１により昇降ワイヤ１１を中心部位に固定しても水平回転し難くなるので、照明器具２の大きさに関係なく昇降装置１を共用してコストダウンと共に、器具回転のない安定した昇降を図ることができる。【選択図】図１
2010170875.tif 000002
【特許請求の範囲】
【請求項１】
天井面に設けられる昇降リールと、この昇降リールにより巻き取り巻き放しされる昇降ワイヤと、前記昇降ワイヤに吊持ちされて昇降する照明器具本体とを備えた昇降式照明器具において、
前記昇降ワイヤは前記照明器具本体の略中心に固定されており、
前記照明器具本体における前記昇降ワイヤの固定部位から離れた周辺部位に固定され、前記照明器具本体の回転を防止する回転防止用ワイヤと、
前記昇降リールから離れて配設され、前記回転防止用ワイヤを巻き取り巻き放しする回転防止用リーラと、を備えたこと特徴とする昇降式照明器具。
【発明の詳細な説明】
【技術分野】
【０００１】
本発明は、コンサートホールや体育館などの高い天井面から昇降ワイヤで吊持される照明器具を有する昇降式照明器具に関する。
【背景技術】
【０００２】
従来の、この種の昇降式照明器具の例を図３に示す。この昇降式照明器具は、照明器具本体１００が天井面２００等に取り付けられた昇降装置１０１からの２本のワイヤ１０２で吊持され、ワイヤ１０２をモータによりドラムに巻き付け、又は巻き放つことにより昇降されるものである（例えば、特許文献１参照）。この昇降式照明器具においては、照明器具本体１００が複数の光源１１０を列状に持ち、一方向に長い長型の照明器具のため、昇降装置１０１は、照明器具本体１００の長さに合わせて、照明器具本体１００が水平方向に回転しないように、２本のワイヤ１０２間隔が広く設計されおり、昇降装置１０１も長型の大型構成となっている。
【０００３】
また、他の従来例として、図４に示すように、光源１１０の数が少なく短型の照明器具本体１０３を昇降する昇降式照明器具の場合は、ワイヤ１０２間隔が狭くてよいので、昇降装置１０４は短型の小型構成に設計される。
【０００４】
上記図４に示したような短型の昇降装置１０４を図３に示したような長型の照明器具本体１００に適用した場合を図５に示す。長型の照明器具本体１００は、その中央部に取り付けられるワイヤ１０２の間隔が狭いので、昇降時にワイヤ１０２間のバランス不足などの影響を受け、矢印Ａに示すように水平方向の回転が生じ易い。従って、短型の昇降装置１０４では長型の照明器具本体１００を安定に昇降することが難しい。
【０００５】
このため、従来は、図３、図４に示したように、昇降装置は長型又は短型など照明器具の大きさに合わせて器具の回転動作を抑制するために、ワイヤ間隔の設計変更が行われるなど、それぞれの照明器具に対応して専用に製作されていた。従って、サイズの異なる照明器具毎に設計変更及び設計期間を必要とし、コスト高となり、また、納期が長くなっていた。
【先行技術文献】
【特許文献】
【０００６】
【特許文献１】特開平７−２１１１２６号公報
【発明の概要】
【発明が解決しようとする課題】
【０００７】
本発明は、上記の問題を解決するものであり、大きさの異なる照明器具に対する昇降装置の共用化によるコストダウンと共に、器具回転のない安定した昇降を図ることができる昇降式照明器具を提供することを目的とする。
【課題を解決するための手段】
【０００８】
上記目的を達成するために請求項１の発明は、天井面に設けられる昇降リールと、この昇降リールにより巻き取り巻き放しされる昇降ワイヤと、前記昇降ワイヤに吊持ちされて昇降する照明器具本体とを備えた昇降式照明器具において、前記昇降ワイヤは前記照明器具本体の略中心に固定されており、前記照明器具本体における前記昇降ワイヤの固定部位から離れた周辺部位に固定され、前記照明器具本体の回転を防止する回転防止用ワイヤと、前記昇降リールから離れて配設され、前記回転防止用ワイヤを巻き取り巻き放しする回転防止用リーラと、を備えたものである。
【発明の効果】
【０００９】
請求項１の発明によれば、昇降ワイヤと回転防止用ワイヤとが互いに離れた状態で共に巻き取り巻き放しされるので、照明器具本体が一方向に長い構成であって、その中心に昇降ワイヤを固定した状態で昇降しても照明器具の水平方向の回転を抑制することができる。これにより、長さの異なる照明器具に対して、その回転を抑制して安定した器具昇降を行え、かつ、照明器具毎に昇降ワイヤ間隔を変えるなどの設計変更の必要がなく同じ昇降装置を共用できるので、低コスト化を図ることができる。また、設計変更期間削減により、納期短縮を図ることができる。
【図面の簡単な説明】
【００１０】
【図１】本発明の一実施形態に係る昇降式照明器具の構成図。
【図２】同照明器具における照明器具本体を上方から見た平面図。
【図３】従来の長型の照明器具に対応した昇降式照明器具の構成図。
【図４】従来の短型の照明器具に対応した昇降式照明器具の構成図。
【図５】従来の長型の照明器具に短型の昇降装置を組合わせた昇降式照明器具の構成図。
【発明を実施するための形態】
【００１１】
以下、本発明の第１の実施形態に係る昇降式照明器具について図１及び図２を参照して説明する。図１及び図２は本実施形態の昇降式照明器具の構成を示す。昇降式照明器具は、天井面２００に設けられる昇降装置１と、昇降装置１により昇降される照明器具２と、照明器具２の回転を抑制する回転防止部３とを有する。
【００１２】
昇降装置１は、照明器具２を吊下げる昇降ワイヤ１１と、２本の昇降ワイヤ１１を巻き取り巻き放しする昇降リール１２と、昇降リール１２を回転するモータ１３と、昇降ワイヤ１１の方向を変換する一対のプーリ１４と、照明器具２に電源を供給するためのコード１５と、コード１５を巻き取るコードリール（不図示）と、モータ１３を制御する制御部（不図示）と、それらを収納する天井面２００に固定された収納箱１６とを有する。この昇降装置１においては、モータ１３の一方向の回転により昇降リール１２が巻取り動作し、他方向の回転により巻き放し動作し、昇降ワイヤ１１の巻取り動作で照明器具２が上昇し、巻き放し動作で照明器具２が下降する。コード１５は照明器具２に接続されて、照明器具２の電源回路に電源供給する。なお、この電源接続は、コード接続以外に、例えば、接点接触等により行うことができる。
【００１３】
照明器具２は、器具本体２１（照明器具本体）と、器具本体２１の固定される光源２２と、器具本体２１内に配設される光源２２用の電源回路（不図示）とを備える。また、照明器具２は複数個の光源２２を横並びの列状に有し、器具本体２１は横長構成とされている。照明器具２は、器具本体２１の略中心に配設されたワイヤ取付部２３に連結された昇降ワイヤ１１により吊持されて昇降する。
【００１４】
回転防止部３は、照明器具２の横長方向（長手方向）両側に対応して一対設けられ、照明器具２の回転を防止する回転防止用ワイヤ３１と、回転防止用ワイヤ３１を巻き取り巻き放しする回転防止用リーラ３２と、それらを取り付けるリーラ取付台３３とを備える。回転防止用ワイヤ３１は、器具本体２１における昇降ワイヤ１１の固定部位から離れた周辺部位であって、器具本体２１の長手方向の両端部寄りに固定される。
【００１５】
回転防止用リーラ３２は、昇降リール１２から離れて配設され、器具本体２１に固定された２本の回転防止用ワイヤ３１のワイヤ間隔に対応するように天井面２００にそれぞれ配設されている。ここでは、回転防止用リーラ３２は、例えば、バネ式の自動ワイヤ巻き取り装置などから成り、引き出されたワイヤは引き出し負荷が無くなるとバネの力により自動的に巻き取られるものである。この回転防止用リーラ３２は、照明器具２の昇降に合わせて回転防止用ワイヤ３１の巻き取り巻き放しを行い、常に回転防止用ワイヤ３１を弛ませない状態とする。但し、ここでは、回転防止用リーラ３２は照明器具２そのものを昇降させる能力は持っていない。リーラ取付台３３は、上記のように回転防止用リーラ３２が配設されるように天上面２００に取り付けられる。
【００１６】
上記２つの回転防止用リーラ３２の間隔は、器具本体２１の長さに合わせて拡大、狭小される。例えば、上記の一方向に長い器具本体２１よりもさらに長い器具本体の場合は、各回転防止用ワイヤ３１及び回転防止用リーラ３２はそれぞれの間隔をより広げて取り付けられる。
【００１７】
上記のように構成された昇降式照明器具において、器具本体２１は、その略中心で２本の昇降ワイヤ１１により吊持されると共に、その両端近傍でそれぞれ回転防止用ワイヤ３１により支持される。このとき、照明器具２の昇降に合わせて、２本の昇降ワイヤ１１は昇降リール１２により巻き取り巻き放しされると共に、同時に、回転防止用ワイヤ３１は、回転防止用リーラ３２により巻き取り巻き放しされる。これにより、常に、昇降ワイヤ１１と回転防止用ワイヤ３１とは略同じ長さだけ変化して、照明器具２が昇降しても器具本体２１が常に略水平に保たれるようになる。従って、昇降ワイヤ１１及び回転防止用ワイヤ３１間のバランスは常に良好に維持される。
【００１８】
このように、本実施形態の昇降式照明器具によれば、昇降ワイヤ１１と回転防止用ワイヤ３１とが互いに離れた状態で共に巻き取り巻き放しされるので、一方向に長い照明器具２に対して、器具本体２１の中心に昇降ワイヤ１１を固定した状態で昇降しても照明器具２の水平方向の回転を抑制することができる。これにより、回転し易い長い照明器具２のときは、回転防止用ワイヤを用いて回転を抑えることにより、長さの異なる照明器具毎に昇降ワイヤ１１の間隔を変えるなど、費用の掛かる昇降装置１を設計し直す必要がなく、昇降装置１を共用化できる。従って、設計変更費用が掛からず低コスト化でき、設計期間削減により、納期短縮化を図ることができる。
【００１９】
なお、本発明は上記実施形態の構成に限定されるものではなく、発明の趣旨を変更しない範囲で適宜に種々の変形が可能である。例えば、上記実施形態においては、昇降ワイヤ１１を２本の場合を示したが、１本でも３本以上でもよく、また、回転防止用ワイヤ３１は１本でもよい。また、回転防止用リーラ３２は、バネ式の自動巻き取り装置を用いたが、別途巻き取り用モータを用い、昇降ワイヤ１１のモータと同期させて回転防止用ワイヤ３１を巻き取り巻き放しすると共に、巻き取り用モータの動力により回転防止用リーラ３２に照明器具の吊持負荷の一部を負担させることもできる。
【符号の説明】
【００２０】
１  昇降装置
１１  昇降ワイヤ
１２  昇降リール
２  照明器具
２１  器具本体（照明器具本体）
３  回転防止部
３１  回転防止用ワイヤ
３２  回転防止用リーラ
【図１】
2010170875.tif 000003
【図２】
2010170875.tif 000004
【図３】
2010170875.tif 000005
【図４】
2010170875.tif 000006
【図５】
2010170875.tif 000007